(57)【要約】【課題】本発明は、覆い立ての取り付け面の強度や、分電盤設置場所の取り付け条件に関わらず、配線覆いの片下がりを防止する事のできる配線覆いの取り付け構造提供することを目的としてる。【解決手段】本発明に係る分電盤の配線覆い取り付け構造では、覆い立て６は覆い立て取り付け金具９に取り付け、覆い立て取り付け金具９には溝１０を形成し、溝１０は上方から下方へ浅くなるよう傾斜を設けて形成すると共に、溝１０に球体１１を入れ、輸送時に分電盤を寝かせた状態の場合、壁面に取り付けた状態の場合に、その都度球体１１が移動し、分電盤の状態によって球体１１が覆い立ての取り付け位置を可変であることを特徴とする。【選択図】図２
2005229764.tif 000002
【特許請求の範囲】
【請求項１】
前面に開口部を設けた箱体に各種電気機器を載置した分電盤の、前記開口部に前記電気機器を被覆するように取り付けられる配線覆いの取り付け構造であって、前記覆い立ては覆い立て取り付け金具に取り付け、該覆い立て取り付け金具には溝を形成し、該溝は上方から下方へ向かって徐々に浅くなるよう傾斜を設けて形成すると共に、前記溝に球体を入れ、輸送時に分電盤を寝かせた状態の場合、壁面に取り付けた状態の場合に、その都度球体が移動し、前記分電盤の状態によって前記球体が前記覆い立ての取り付け位置を可変であることを特徴とする分電盤の配線覆い取り付け構造。
【請求項２】
前記配線覆いの取り付け構造であって、前記配線覆いを覆い立てに蝶着する蝶番のうち下部蝶番の受け金具をスライド移動可能とし、前記配線覆いの支持位置を変更できることを特徴とする請求項１に記載の配線覆いの取り付け構造。
【発明の詳細な説明】
【技術分野】
【０００１】
本発明は、前面に開口部を設けた箱体に各種電気機器を載置した分電盤の、開口部に電気機器を被覆するように取り付けられる配線覆いの取り付け構造に関する。
【背景技術】
【０００２】
従来の配線覆いの取り付け構造は、分電盤の箱体底面に一直線上に少なくとも上下二カ所覆い立てを取り付け、この覆い立てにより配線覆いを支持させ、箱体の開口を施蓋している。
【特許文献１】実開平７−４２９７８号公報
【発明の開示】
【発明が解決しようとする課題】
【０００３】
しかしながら上記従来技術における配線覆いの取り付け構造では、図６に示すように、配線覆い３１の荷重により上側に設けられた覆い立て３２ａは内側に、下側に設けられた覆い立て３２ｂは外側に傾斜することがあり、配線覆い３１が矢印Ａ方向に片下がりする虞があった。または、配線覆い３１の開閉時に覆い立て３２の取り付け台の歪みなどの影響を受け、配線覆い３１が片下がりして扉３３が本体３４に当たったり、開口周縁部が機器に当たったりして開閉動作に支障があった。
【課題を解決するための手段】
【０００４】
そこで本発明は、覆い立ては覆い立て取り付け金具に取り付け、覆い立て取り付け金具には溝を形成し、溝は上方から下方へ徐々に浅くなるよう傾斜を設けて形成すると共に、溝に球体を入れ、輸送時に分電盤を寝かせた状態の場合、壁面に取り付けた状態の場合に、その都度球体が移動し、分電盤の状態によって前記球体が前記覆い立ての取り付け位置を可変であることを特徴とする。
【０００５】
また、配線覆いの取り付け構造であって、配線覆いを覆い立てに蝶着する蝶番のうち下部蝶番の受け金具をスライド移動可能とし、配線覆いの支持位置を変更できることを特徴とする。
【発明の効果】
【０００６】
本発明に係る分電盤の配線覆いの取り付け構造は、覆い立ては覆い立て取り付け金具に取り付けられ
、覆い立て取り付け金具には溝を形成し、溝は上方から下方へ徐々に浅くなるよう傾斜を設けて形成すると共に、溝に球体を入れ、輸送時に分電盤を寝かせた状態の場合、壁面に取り付けた状態の場合に、その都度球体が移動し、分電盤の状態によって球体が覆い立ての取り付け位置を可変であるため、壁面に取り付けられた場合には球体が溝の下方に移動し、溝は浅くなっているので球体が覆い立て取り付け金具の面から突出し、覆い立て取り付け金具に覆い立てを取り付けたときに覆い立てを押し上げ、配線覆いの自重による覆い立ての変形を防止する。
【発明を実施するための最良の形態】
【０００７】
配線覆いの自重による覆い立ての変形を防止するという目的を、覆い立て取り付け金具に下方に向かうほど浅く溝を形成し、この溝には分電盤の置かれる向きによって移動可能であるように、球体を取り付けることにより実現した。
【実施例】
【０００８】
本発明に係る配線覆いの取り付け構造の実施例を図１〜図２の添付図面に基づいて説明する。
【０００９】
分電盤１は前面に開口２を有する箱体３に各種電気機器を収納して成り、開口２は回動動作により開閉可能である配線覆い４で施蓋し、機器や配線を保護する。箱体３の底面５に覆い立て６を立設し、覆い立て６の上端部に配線覆い４を蝶着するための蝶番７を受ける受け金具８を取り付け、受け金具８に蝶番７を支持させ配線覆い４を箱体３取り付ける。
【００１０】
覆い立て６は覆い立て取り付け金具９を介して箱体３に取り付けられ、覆い立て取り付け金具９はねじにより固定される。覆い立て取り付け金具９の覆い立て６が接する側に溝１０を形成し、溝１０には球体１１を取り付ける。溝１０は上方から下方に向かって傾斜させ、深さも下方に向かって浅くなるように形成する。また、覆い立て６の取り付け部６ａに対向するように、覆い立て受け部９ａと固定部９ｂを形成する。
【００１１】
覆い立て６は覆い立て取り付け金具９の覆い立て受け部９ａに支持させ、固定部９ｂに設けられた固定穴１２に固定ピン１３を挿通し、覆い立て６を固定する。
【００１２】
輸送時など、分電盤１は寝かせた状態で置かれるが、その時球体１１は、溝１０の深いところに落ち込んだ状態である。一方、壁面に接地した状態の時には、球体１１は溝１０の下端に位置する。溝１０の下端は浅く、球体１１は覆い立て取り付け金具９の面から突出し、覆い立て取り付け金具９に覆い立て６を取り付けたとき、覆い立て６を裏面より持ち上げ、配線覆い４の片下がりを防止する。
【００１３】
分電盤１を立てた状態の時と、寝かせた状態の時とで、球体１１の動きによって配線覆い４の位置が変わり、配線覆い４の片下がりが発生しにくくなり、片下がりが発生したときの調整作業の必要も少なくなる。また、従来、分電盤１を立てた状態で配線覆い４の調整をした場合、輸送のために寝かせると、配線覆い４と内部機器とが干渉し、機器に悪影響を与える虞があったが、分電盤１を立てた時に球体１１は元の位置に戻り、配線覆い４も元の位置に戻るため、配線覆い4の位置を調整する作業の手間を省くことができる。
【００１４】
覆い立て６を持ち上げるための機構は、球体１１を用いたものに限定されるものではなく、例えば、スプリングを用いる等、本発明の趣旨を逸脱しない範囲において適宜変更可能である。
【００１５】
さらに、配線覆い４の片下がりを防止するために、上部蝶番と下部蝶番の支持点を正面から見て配線覆いの荷重をより多く受ける下部蝶番を箱体３の左側へずらして取り付けてもよい。
【００１６】
本発明の請求項２に係る配線覆いの取り付け構造を図５の添付図面に基づいて説明する。
【００１７】
分電盤設置後に、覆い立ての取り付け面の強度不足等により配線覆いの片下がりが発生した場合、矯正できるように、配線覆いの荷重をより多く受ける下部蝶番の受け金具１４をスライド移動可能にするため、取り付け穴１５を長孔に形成する。受け金具１４の取り付け位置は長孔の範囲において変更が可能であり、配線覆いが片下がりして分電盤の箱体の開口をうまく施蓋できなくなった場合、受け金具１４の位置を移動させて片下がりを矯正する。
【００１８】
スライド可能な蝶番金具は図５に示すように覆い立て側に設けるものに限定されるものではなく、配線覆い側に設けても良い。また、覆い立て本体の取り付け穴を長孔にしても良い。
【００１９】
覆い立て本体のタップ穴は適宜変更可能とする。
【産業上の利用可能性】
【００２０】
球体により分電盤を立てた状態と寝かせた状態で配線覆いの位置を変更できるので、立てた状態で配線覆いの位置を決定し、その後寝かせたときに配線覆いと分電盤内部に配置された機器とが干渉するようなことがなくなる。
【図面の簡単な説明】
【００２１】
【図１】本発明に係る分電盤の説明図である。（実施例１）
【図２】図１における覆い立てと覆い立て取り付け金具を示す説明図である。（実施例１）
【図３】図２における覆い立てと覆い立て取り付け金具を示す断面図である。（実施例１）
【図４】図１における配線覆いの支持構造を示す説明図である。（実施例１）
【図５】本発明の請求項２に係る分電盤の変形実施例を示す説明図である。（実施例２）
【図６】従来技術における分電盤を示す説明図である。
【符号の説明】
【００２２】
１    分電盤
２    開口
３    箱体
４    配線覆い
５    底面
６    覆い立て
６ａ  取り付け部
７    蝶番
８    受け金具
９    取り付け金具
９ａ  覆い立て受け部
９ｂ  固定部
１０  溝
１１  球体
１２  固定穴
１３  固定ピン
１４  受け金具
１５  取り付け穴
【図１】
2005229764.tif 000003
【図２】
2005229764.tif 000004
【図３】
2005229764.tif 000005
【図４】
2005229764.tif 000006
【図５】
2005229764.tif 000007
【図６】
2005229764.tif 000008